(57)【要約】【目的】棺桶の蓋体に生花を装飾するための器具であり、且つ極めて簡易且つ迅速に蓋体に装着することができ、さらに種々の大きさ（サイズ）の棺桶の蓋体に対しても、その蓋体の大きさ（サイズ）に対応して、生花をバランス良く配置させることができる棺桶の生花装飾具とすること。【構成】棺桶９の蓋体９１に生花８を供えた筐体Ａを装着するためのものであること。ゲル剤３が内部に備えられ且つ生花８が差し込まれる挿し孔２１が形成された筐体Ａと、該筐体Ａを収納する筐体受部７が形成されたベース部６から構成される１又は複数の単位ブロックＢとからなること。複数の単位ブロックＢが前記蓋体９１の表面部９１１上に適宜、組み合わせて配列され、前記単位ブロックＢは、固着手段６６を介して前記蓋体９１に固着自在としたこと。【選択図】      図１
2010284450.tif 000002
【特許請求の範囲】
【請求項１】
棺桶の蓋体に生花を供えた筐体を装着するためのものであって、ゲル剤が内部に備えられ且つ生花が差し込まれる挿し孔が形成された筐体と、該筐体を収納する筐体受部が形成されたベース部から構成される１又は複数の単位ブロックとからなり、複数の単位ブロックが前記蓋体の表面部上に適宜、組み合わせて配列され、前記単位ブロックは、固着手段を介して前記蓋体に固着自在としたことを特徴とする棺桶の生花装飾具。
【請求項２】
請求項１において、前記筐体は略立方体状に形成され、前記頂面部には挿し孔が一つのみ形成された一輪挿のみの小形筐体とし、且つ前記単位ブロックの種類は主ブロックと補助ブロックとし、前記主ブロックはベース部が略方形板状に形成されると共に複数の前記筐体受部が略格子状に配列され、前記補助ブロックは、前記ベース部の縦方向に沿って前記筐体受部が一列状に配列され、前記筐体受部は、前記小形筐体のみが挿入されてなることを特徴とする棺桶の生花装飾具。
【請求項３】
請求項２において、前記単位ブロックの種類には、いずれか一方の縦側面が斜面に形成された端部ブロックが具備されてなることを特徴とする棺桶の生花装飾具。
【請求項４】
請求項１において、前記単位ブロックの種類は大主ブロックとし、前記筐体は、略扁平直方体状とし、前記頂面部には前記挿し孔が複数形成された大形筐体とし、前記大主ブロックには、前記大形筐体が挿入される大筐体受部が形成されてなることを特徴とする棺桶の生花支持装置。
【請求項５】
請求項１，２，３又は４のいずれか１項の記載において、棺桶の蓋体の長手方向周壁面部及び幅方向周壁面部が斜壁面として形成された裁頭四角錐形状のものに適用されるものであって、前記単位ブロックには、前記蓋体の長手方向斜壁面及び幅方向斜壁面に対応する斜面ブロックが具備され、該斜面ブロックのベース部の幅方向両側面は、該斜面ブロックが前記蓋体の斜壁面に固着された状態で、前記蓋体の表面側に位置する横側面は水平状面であり、前記蓋体の長手方向周壁面部及び幅方向周壁面部に位置する横側面は垂直状面となるように形成されてなることを特徴とする棺桶の生花装飾具。
【請求項６】
請求項１,２，３，４又は５のいずれか１項の記載において、前記筐体受部は底面部を
有する窪みとしてなることを特徴とする棺桶の生花装飾具。
【請求項７】
請求項１,２，３，４又は５のいずれか１項の記載において、前記筐体受部は貫通孔と
してなることを特徴とする棺桶の生花装飾具。
【請求項８】
請求項１，２，３，４，５，６又は７のいずれか１項の記載において、前記固着手段は、前記ベース部の下面側に粘着テープが装着されてなることを特徴とする棺桶の生花装飾具。
【請求項９】
請求項１，２，３，４，５，６，７又は８のいずれか１項の記載において、前記筐体の頂面部には、生花の葉又は細い茎を有する生花を挿入する小挿し孔が形成されてなることを特徴とする棺桶の生花支持装置。
【請求項１０】
請求項１，２，３，４，５，６，７，８又は９のいずれか１項の記載において、前記筐体は展開された紙材から適宜折り曲げ加工により形成されてなることを特徴とする棺桶の生花支持装置。
【請求項１１】
請求項１，２，３，４，５，６，７，８，９又は１０のいずれか１項の記載において、前記筐体の内部には、生花支持部材が具備され、該生花支持部材に前記ゲル剤が固定されてなることを特徴とする棺桶の生花支持装置。
【発明の詳細な説明】
【技術分野】
【０００１】
本発明は、棺桶の蓋体に生花を装飾するための器具であり、極めて簡易且つ迅速に蓋体に装着することができ、さらに種々の大きさ（サイズ）の棺桶の蓋体に対しても、その蓋体の大きさ（サイズ）に対応して、生花をバランス良く配置させることができる棺桶の生花装飾具に関する。
【背景技術】
【０００２】
従来、葬祭において、棺桶の周囲に生花が供えられることが、慣習的に行われている。そして、一般に用いられている棺桶は、通夜、告別式において、棺桶にも生花が供えられることがあるが、単に棺桶の蓋体上に生花が載せられて置いてあるだけの場合が多い。しかし、このように生花を棺桶の蓋体に載せておくだけでは、棺桶の蓋を外して葬儀の参列者が遺体と対面するときに、蓋体に載せた生花が落ちてしまったり、或いは生花を蓋から一旦、取り除いて、蓋を開けることになる。このように、蓋を開けるたびに生花を蓋からいちいち外したり、その生花を元の状態に戻したりすることは、極めて面倒なことであるのみならず、その蓋体を外したり、閉じたりする間に生花の装飾を崩してしまったり、又は床等に落としたりして、生花を汚してしまうおそれも十分にある。
【先行技術文献】
【特許文献】
【０００３】
【特許文献１】特開２００３−７９６８１
【発明の概要】
【発明が解決しようとする課題】
【０００４】
棺桶の上部に、生花を供える手段とした発明が特許文献１に開示されている。この特許文献１によれば、棺桶の蓋に枠が備えられ、この枠に、略扁平直方体状の花差しが装着されているものである。この特許文献１によれば、蓋と共に、別の部材からなる枠体が必要であり、その枠体は、蓋と同等面積に形成されたもので、極めて大掛かりな装置となっている。
【０００５】
そのために、枠体は、蓋体と同等の面積のものが必要であるが、棺桶には種々のサイズのものが存在しており、枠体は、種々のサイズの棺桶の蓋体に合わせたものを複数種類、用意しておかなければならない。また、枠体は、予め蓋体に対応して合わせたサイズのものであるために、生花の配置の仕方等は、最初から略決定されており、生花の飾り付けのバリエーションには、多様性が無く、単純なものとなってしまう。本発明の目的（技術的課題）は、棺桶の蓋体に生花を簡易且つ迅速に飾り付けることができ、さらにその飾り付けには種々のバリエーションが存在し、且つどのようなサイズの棺桶の蓋体に対しても、十分に対応させることができ、良好なバランス状態で、生花の装飾ができるようにすることにある。
【課題を解決するための手段】
【０００６】
そこで、発明者は、上記課題を解決すべく、鋭意、研究を重ねた結果、請求項１の発明を、棺桶の蓋体に生花を供えた筐体を装着するためのものであって、ゲル剤が内部に備えられ且つ生花が差し込まれる挿し孔が形成された筐体と、該筐体を収納する筐体受部が形成されたベース部から構成される複数の単位ブロックとからなり、複数の単位ブロックが前記蓋体の表面部上に適宜組合わせて配列され、前記単位ブロックは、固着手段を介して前記蓋体に固着自在とした棺桶の生花装飾具としたことにより、上記課題を解決した。
【０００７】
請求項２の発明を、請求項１において、前記筐体は略立方体状に形成され、前記頂面部には挿し孔が一つのみ形成された一輪挿のみの小形筐体とし、且つ前記単位ブロックの種類は主ブロックと補助ブロックとし、前記主ブロックはベース部が略方形板状に形成されると共に複数の前記筐体受部が略格子状に配列され、前記補助ブロックは、前記ベース部の縦方向（Ｙ方向）に沿って前記筐体受部が一列状に配列され、前記筐体受部は、前記小形筐体のみが挿入されてなる棺桶の生花装飾具としたことにより、上記課題を解決した。
【０００８】
請求項３の発明を、請求項２において、前記単位ブロックの種類には、いずれか一方の縦側面が斜面に形成された端部ブロックが具備されてなる棺桶の生花装飾具としたことにより、上記課題を解決した。請求項４の発明を、請求項２において、前記筐体が、略扁平直方体状とし、前記頂面部には前記挿し孔が複数形成された大形筐体が含まれ、前記単位ブロックの主ブロックには、前記大形筐体が挿入される大筐体受部が形成されてなる棺桶の生花支持装置としたことにより、上記課題を解決した。
【０００９】
請求項５の発明を、請求項１，２，３又は４のいずれか１項の記載において、棺桶の蓋体の長手方向周壁面部及び幅方向周壁面部が斜壁面として形成された裁頭四角錐形状のものに適用されるものであって、前記単位ブロックには、前記蓋体の長手方向斜壁面及び幅方向斜壁面に対応する斜面ブロックが具備され、該斜面ブロックのベース部の幅方向両側面は、該斜面ブロックが前記蓋体の斜壁面に固着された状態で、前記蓋体の表面側に位置する横側面は水平状面であり、前記蓋体の長手方向周壁面部及び幅方向周壁面部に位置する横側面は垂直状面となるように形成されてなる棺桶の生花装飾具としたことにより、上記課題を解決した。
【００１０】
請求項６の発明を、請求項１,２，３，４又は５のいずれか１項の記載において、前記
筐体受部は底面部を有する窪みとしてなる棺桶の生花装飾具としたことにより、上記課題を解決した。請求項７の発明を、請求項１,２，３，４又は５のいずれか１項の記載にお
いて、前記筐体受部は貫通孔としてなる棺桶の生花装飾具としたことにより、上記課題を解決した。請求項８の発明を、請求項１，２，３，４，５，６又は７のいずれか１項の記載において、前記固着手段は、前記ベース部の下面側に粘着テープが装着されてなる棺桶の生花装飾具としたことにより、上記課題を解決した。
【００１１】
請求項９の発明を、請求項１，２，３，４，５，６，７又は８のいずれか１項の記載において、前記筐体の頂面部には、生花の葉又は細い茎を有する生花を挿入する小挿し孔が形成されてなる棺桶の生花支持装置としたことにより、上記課題を解決した。請求項１０の発明を、請求項１，２，３，４，５，６，７，８又は９のいずれか１項の記載において、前記筐体は展開された紙材から適宜折り曲げ加工により形成されてなる棺桶の生花支持装置としたことにより、上記課題を解決した。請求項１１の発明を、請求項１，２，３，４，５，６，７，８，９又は１０のいずれか１項の記載において、前記筐体の内部には、生花支持部材が具備され、該生花支持部材に前記ゲル剤が固定されてなる棺桶の生花支持装置としたことにより、上記課題を解決した。
【発明の効果】
【００１２】
請求項１の発明では、生花装飾具を複数の単位ブロックの集合体とし、複数の単位ブロックを適宜に組合わせて配列することにより、単位ブロックによる集合体からなる生花装飾具を所望の大きさ、広さ及び形状にすることができる。このことによって、生花装飾具を棺桶の蓋体の長さ寸法や幅方向寸法に対応させたり、或いは蓋体上で複数の単位ブロックを種々の配列パターンで配置固着することで、単に蓋体の（大きさ）サイズに合わせるのみでなく、多様性のある生花の装飾ができる。すなわち、本発明における生花装飾具は、複数の単位ブロックの集合体であり、該単位ブロックには、固着手段が具備されているので、複数の単位ブロックは、あたかも積み木ブロックのように組合わせられてゆくことで、どのような棺桶の蓋体に対しても、簡易且つ迅速に生花の供え付けができるものである。
【００１３】
生花装飾具を構成する複数の単位ブロックは、ゲル剤が内部に備えられ且つ生花が差し込まれる挿し孔が形成された筐体を収納する筐体受部が形成されたものである。前記筐体は、予めゲル剤を内部に含んだものであり、このような筐体に生花が飾り付けられていることにより、通常の生花のように水が漏れたりして棺桶を汚すことがなく、しかもゲル剤によって生花を葬祭が行われている期間は鮮度を維持してゆくことができるものである。また生花装飾具を構成する複数の単位ブロックの筐体受部から前記筐体を必要に応じて自由に着脱することができるので、別の種類の生花との交換を極めて容易にできる。
【００１４】
さらに筐体の頂面部に一輪の生花が差し込まれる挿し孔が形成されており、且つ前述したように筐体内部にゲル剤（高分子吸収剤）が備えられており、また単位ブロックには、窪み状の筐体受部が形成されている。そして、前記筐体は前記単位ブロックの筐体受部に略埋め込み状態で装着されることができる構造としたものである。したがって、筐体の頂面部に形成された挿し孔に一輪の生花の茎を差し込み、その筐体を単位ブロックに形成された窪み状の筐体受部に埋め込み状態で装着され、生花は筐体と単位ブロックとから構成される生花装飾具は、固着手段を介して、棺桶の蓋体に極めて安定した状態で設置される。さらに、生花は、筐体内部のゲル剤によって、筐体に固定されるものであり、且つ筐体は、前記単位ブロックの筐体受部に埋め込み状態で固定された状態となるので、棺桶の蓋体を立てかけておいても、生花が崩れ落ちにくい構造にすることができるものである。
【００１５】
本発明の生花装飾具によって、遺体との対面時において、棺桶から蓋体を開くときにも、いちいち生花を蓋体から取り外すこともなく、蓋体を開くことができるものである。さらに、一輪の生花の茎が前記筐体の頂面部の挿し孔に挿入されることで、その茎の端部は、筐体内部に設けられたゲル剤に漬けられることになり、ゲル剤が生花に水分等の栄養素を十分に補給することができ、葬祭（通夜，告別式）の期間に亘って、十分に鮮度を維持することができる。
【００１６】
請求項２の発明では、前記筐体は略立方体状に形成され、前記頂面部には挿し孔が一つのみ形成された一輪挿のみの小形筐体としものである。また、単位ブロックは、その種類を主ブロックと補助ブロックとしたものであり、前記主ブロックは、平面形状が長方形又は正方形等の略方形状に形成され且つ複数の筐体受部が格子状に配列されたもので、すなわち、一列状に配列された筐体受部が複数設けられたものである。また、前記補助ブロックは、前記ベース部の縦方向（Ｙ方向）に沿って前記筐体受部が一列状に配列されたものである。
【００１７】
前記主ブロックと補助ブロックとが適宜に組み合わせられて使用されることで、生花装飾具は、極めて簡単に棺桶の蓋体のサイズに対応する大きさにすることができ、特に、主ブロックと補助ブロックとが横方向（Ｘ方向）に接続されることで、構成される生花装飾具の横方向（Ｘ方向）の大きさを、筐体受部の一列分づつ増加させることができ、すなわち、このことは、生花装飾具の横方向（Ｘ方向）長さ寸法の微調整ができるということである。そして、このことによって、棺桶の蓋体の長手方向（Ｘ方向）において、生花装飾具をバランスの取れた適正な寸法に設定することができる。そして、主ブロック及び補助ブロックの筐体受部に生花が装飾された小形筐体が収納されることで、生花が蓋体に迅速且つ簡単に装飾されることができる。
【００１８】
請求項３の発明では、請求項２において、前記単位ブロックの種類には、端部ブロックが具備されたものであり、該端部ブロックは、いずれか一方の縦側面が斜面に形成されている。該端部ブロックを、主ブロック或いは該主ブロックと前記補助ブロックとを適宜組合わせた単位ブロックの集合体において、その横方向（Ｘ方向）の端部箇所に端部ブロックが配置されることで、生花装飾具のベースの周囲を整然とした、デザイン性に優れたものにできる。
【００１９】
請求項４の発明では、前記単位ブロックの種類は大主ブロックとし、前記大主ブロックには、前記大形筐体が挿入される大筐体受部が形成されたものである。前記大形筐体は、略扁平直方体状とし、頂面部には挿し孔が複数形成され、複数本の生花を植え付けることができる。これによって、生花店又は生花工場等で予め大形筐体に、複数の生花を植え付けておくことにより、前記大主ブロックの筐体受部に大形筐体を備え付けることで、棺桶に即座にたくさんの生花を飾ることができるものであり、葬祭の準備の作業効率を向上させることができる。特に、生花装飾具は、一つの大主ブロックと大形筐体のみから構成される場合もある。
【００２０】
請求項５の発明では、特に、棺桶の蓋体が裁頭四角錐形状とされたものにおいて、その斜面状の周囲に生花を整然とした状態で装飾することができる。請求項６の発明では、筐体受部は底面部を有する窪みとしたことにより筐体を確実に収納装着することができる。請求項７の発明では、筐体受部は貫通孔としたことにより棺桶の生花装飾具、筐体受部を比較的簡単に形成することができる。請求項8の発明では、固着手段は、前記ベース部の
下面側に粘着テープが装着されたことにより、単位ブロックを棺桶の蓋体上に極めて容易に固着することができる。また取り外しも容易にできる。
【００２１】
請求項９の発明では、前記筐体の頂面部には生花の葉又は細い茎を有する生花を挿入する小挿し孔が形成されたことにより、筐体上面の挿し孔には主となる一輪の生花を飾り、その生花の周囲には、小挿し孔によって、さらに葉の部分や、細い茎の生花すなわち、小形の生花を差し込むことができ、主となる生花の周囲を葉や小形生花で飾ることができるものである。請求項１０の発明では、筐体は展開された紙材から適宜折り曲げ加工により形成されることにより、筐体の組み立てが簡単にできるものであり、且つ大量に生産することに好適である。
【００２２】
請求項１１の発明では、前記筐体の頂面部には別材からなる生花支持部材が具備され、該生花支持部材に前記花挿し孔が形成され、且つ該花挿し孔の周囲には空気流通孔が形成されたことにより、筐体内部への空気の流通を良好なものとし、生花の鮮度をより一層長く維持することができる。さらに、前記生花支持部材の下部にはゲル支持部材が具備されたことにより、ゲル剤を筐体内部にて安定させると共に、生花に水分及び栄養分等を良好に供給することができるものである。
【００２３】
筐体は生花装飾具の筐体受部に略埋め込み状態で装着されることができる構造としたものである。したがって、筐体の頂面部に形成された挿し孔に一輪の生花の茎を差し込み、その筐体を単位ブロックの筐体受部に埋め込み状態で装着されることによって、生花装飾具によって筐体と共に生花は、棺桶の蓋体に極めて安定した状態で設置される。さらに、生花は、筐体内部のゲル剤によって、筐体に固定されるものであり、且つ筐体は、前記単位ブロックに埋め込み状態で固定された状態となるので、生花が崩れ落ちにくい構造にすることができるものである。
【００２４】
そして、遺体との対面時において棺桶から蓋体を取り外すときにも、いちいち単位ブロックを蓋体から取り外すこともなく、蓋体を取り外すことができるものである。さらに、一輪の生花の茎が前記筐体の頂面部の挿し孔に挿入されることで、その茎の端部は、筐体内部に設けられたゲル剤に漬けられることになり、ゲル剤が生花に水分等の栄養素を十分に補給することができ、葬祭（通夜，告別式）の期間に亘って、十分に鮮度を維持することができる。
【図面の簡単な説明】
【００２５】
【図１】（Ａ）は本発明の生花装飾具及び生花が装着された棺桶の平面図、（Ｂ）は（Ａ）の斜視図、（Ｃ）は本発明の生花を除いた単位ブロックのみが蓋体に装着された棺桶の斜視図である。
【図２】（Ａ）は棺桶から単位ブロックと蓋体とが分離された状態の平面図、（Ｂ）は主ブロック，補助ブロック，端部ブロック及び大主ブロックの平面図、（Ｃ）は棺桶の蓋体に単位ブロックが固着された状態の平面図である。
【図３】（Ａ）は主ブロック，補助ブロック及び端部ブロックの斜視図、（Ｂ）は生花が装飾された筐体と筐体受部の拡大斜視図、（Ｃ）は生花が装飾された筐体が筐体受部に収納された状態の拡大斜視図、（Ｄ）は主ブロックに小形筐体と生花が装着された状態の斜視図である。
【図４】（Ａ）は主ブロック，補助ブロック及び端部ブロックの分離した状態の平面図、（Ｂ）は主ブロック，補助ブロック及び端部ブロックを横方向（Ｘ方向）に接続した状態の平面図である。
【図５】（Ａ）は裁頭角錐状とした棺桶の蓋体に対応する斜面ブロックの斜視図、（Ｂ）小形の斜面ブロックの斜視図、（Ｃ）は斜面ブロックを蓋体の横斜壁面に固着された状態の斜視図、（Ｄ）は斜面ブロックを蓋体の横斜壁面に固着しようとする状態の断面図、（Ｅ）は斜面ブロックを蓋体の横斜壁面に固着した状態の断面図である。
【図６】（Ａ）は裁頭角錐状とした棺桶の蓋体角部に対応する斜面端部ブロックを装着した要部平面図、（Ｂ）は斜面端部ブロックの斜視図、（Ｃ）は斜面ブロックを蓋体角部の横斜壁面に固着された状態の斜視図、（Ｄ）は（Ｃ）のＰ−Ｐ矢視断面図である。
【図７】（Ａ）は大形筐体の斜視図、（Ｂ）は生花が供えられた大形供筐体と大主ブロックとの分離した状態の斜視図、（Ｃ）は大形筐体が大主ブロックに装着された斜視図である。
【図８】（Ａ）は棺桶の蓋体に固着された種々の単位ブロックの配置例の一例を示す平面図、（Ｂ）乃至（Ｅ）は単位ブロックの種々の配列例を示す断面図である。
【図９】（Ａ）は底面部を有する筐体受部が設けられた主ブロック，補助ブロック，端部ブロック及び斜面ブロックを蓋体に固着しようとする断面図、（Ｂ）は生花が装飾された小形筐体を筐体受部に装着しようとする断面図、（Ｃ）は蓋体に生花装飾具が固着された状態の断面図、（Ｄ）は生花が装飾された単位ブロックを蓋体に固着しようとする断面図である。
【図１０】（Ａ）は大主ブロックを蓋体に固着しようとする断面図、（Ｂ）は生花が装飾された大形筐体を筐体受部に装着しようとする断面図、（Ｃ）は蓋体に生花装飾具が固着された状態の断面図、（Ｄ）は生花が装飾された大主ブロックを蓋体に固着しようとする断面図である。
【図１１】（Ａ）は貫通孔タイプの筐体受部が設けられた主ブロック，補助ブロック，端部ブロック及び斜面ブロックを蓋体に固着しようとする断面図、（Ｂ）は蓋体に生花装飾具が固着された状態の断面図、（Ｃ）は貫通孔タイプの筐体受部が設けられた主ブロック，補助ブロック，端部ブロックの要部拡大断面図である。
【図１２】（Ａ）は蓋体の周囲を除いた適宜の位置に生花装飾具が固着された棺桶の平面図、（Ｂ）は（Ａ）の斜視図、（Ｃ）は本発明の生花を除いた単位ブロックのみが蓋体に装着された棺桶の斜視図である。
【図１３】（Ａ）は裁頭角錐形状ではない蓋体に単位ブロックが固着された棺桶の斜視図、（Ｂ）裁頭角錐形状ではない蓋体に生花装飾具が固着された棺桶の斜視図、（Ｃ）は生花装飾具が装着された蓋体の要部断面図である。
【図１４】（Ａ）は生花と葉を飾り付けた筐体の拡大縦断側面図、（Ｂ）は生花と細い茎の生花を飾り付けた筐体の拡大縦断側面である。
【図１５】（Ａ）は本体部と頂面部とが分離したタイプの筐体の分解斜視図、（Ｂ）及び（Ｃ）は本体部の組立て途中の斜視図、（Ｄ）は本体部を構成する紙材の展開図である。
【図１６】（Ａ）は本体部の別のタイプの斜視図、（Ｂ）は（Ａ）の本体部の組立て途中の斜視図である。
【図１７】（Ａ）は本体部と頂面部とが一体化されたタイプの筐体の斜視図、（Ｂ）は本体部の縦断側面図、（Ｃ）は本体部の組立て途中の斜視図及び生花支持部材の斜視図である。
【図１８】（Ａ）は挿し孔の拡大平面図、（Ｂ）は挿し孔の縦断側面図である。
【図１９】（Ａ）は第１実施形態の筐体の第１変形例の分解斜視図、（Ｂ）は（Ａ）の組立状態斜視図、（Ｃ）は（Ｂ）の拡大縦断側面図、（Ｄ）は生花を供えた筐体を立て掛け状態の蓋体に装着した要部拡大断面図である。
【図２０】（Ａ）は第１筐体の第２変形例の斜視図、（Ｂ）は第２変形例の別の斜視図である。
【図２１】（Ａ）は筐体の第２変形例の板状片を外側に貼着する構成の一部分離した状態の斜視図、（Ｂ）は（Ａ）の筐体の縦断側面図である。
【図２２】（Ａ）は第１実施形態の筐体の第３変形例の分解斜視図、（Ｂ）は（Ａ）の組立状態の斜視図、（Ｃ）は生花を供えた筐体を立て掛け状態の蓋体に装着した要部拡大断面図である。
【図２３】（Ａ）は第２実施形態における筐体の分離状態の斜視図、（Ｂ）は筐体の紙材の展開状態図である。
【図２４】（Ａ）は生花支持部材の縦断正面図、（Ｂ）は生花支持部材の平面図である。
【図２５】（Ａ）は蜂の巣状支持体を装着した筐体の斜視図、（Ｂ）は蜂の巣状支持体の平面図である。
【図２６】大形筐体に対応する蜂の巣状支持体の一部省略した斜視図である。
【発明を実施するための形態】
【００２６】
以下、本発明の実施形態を図面に基づいて説明する。本発明における生花装飾具は、図１（Ａ），（Ｂ），図１２，図１３等に示すように、棺桶９の蓋体９１に生花８を簡易且つ迅速に装飾するための器具であり、その構成は、生花を供えた筐体Ａと、単位ブロックＢとから構成される。前記蓋体９１は、複数の板材から構成され天板箇所は、中空状に形成されている。蓋体９１は表面板と下面板とから構成され、前記表面板と下面板との間に隙間が存在するように構成されている。さらに表面板と下面板との間には補強材が組み込まれている。生花装飾具は、複数の単位ブロックＢの集合体であり、複数の単位ブロックＢ，Ｂ，…が適宜に組み合わせられることによって、生花８は、棺桶９の蓋体９１上において、種々のパターンで装飾することができるものである。まず、単位ブロックＢについて説明し、次いで筐体Ａについて説明する。
【００２７】
単位ブロックＢは、複数の異なる種類のものが存在する。具体的には、図２に示すように、主ブロックＢ1，大主ブロックＢ11，補助ブロックＢ2，端部ブロックＢ3及び斜面ブ
ロックＢ4（斜面端部ブロックＢ5も含まれる）が存在するものであり、単位ブロックＢとは、前述した各ブロックの総称である。これらの単位ブロックＢは、木製又はコルク等の木質系の材質，紙材，合成樹脂，発泡スチロール等から形成され、ベース部６と筐体受部７とから構成されたものである。ベース部６は、平板状又は棒状の部材であり、該ベース部６に複数の筐体受部７，７，…が一列状に等間隔（略等間隔も含む）に形成されたものである。該筐体受部７は、後述する筐体Ａを収納し、該筐体Ａを支持固定する役目をなす部位である〔図３（Ｂ）乃至（Ｄ）参照〕。
【００２８】
ここで、本明細書において単位ブロックＢ及び棺桶９の蓋体９１の各方向を統一するため、次のように定義する。まず、棺桶９の蓋体９１の長手方向をＸ方向とし、幅方向をＹ方向とする。そして、前記棺桶９の蓋体９１の長手方向であるＸ方向と同一方向を前記単位ブロックＢの横方向とする。また、前記棺桶９の蓋体９１の幅方向であるＹ方向と同一方向を前記単位ブロックＢの縦方向とする。そして、単位ブロックＢの横方向（Ｘ方向）及び縦方向（Ｙ方向）は、前記蓋体９１の長手方向（Ｘ方向）及び幅方向（Ｙ方向）に合わせて配置固着される。前述したＸ方向及びＹ方向は、本明細書では、統一された方向を示すものであり、図中において、必要に応じて、矢印によって、「Ｘ方向」及び「Ｙ方向」として記載されている（図２，図４，図５，図６，図８等参照）。
【００２９】
まず単位ブロックＢにおける主ブロックＢ1は、図２（Ｂ），図３（Ａ），図４（Ａ）
に示すように、平面形状が長方形又は正方形等の方形状として形成され、前記筐体受部７は、略碁盤目或いは略格子状となるように複数列に形成されている。主ブロックＢ1のベ
ース部６は、棺桶９の蓋体９１の表面に後述する固着手段６６を介して固着される部位である。主ブロックＢ1のベース部６は、前述したように横方向がＸ方向であり、縦方向が
Ｙ方向である。この方向を示すＸ方向及びＹ方向は、後述する補助ブロックＢ2，端部ブ
ロックＢ3についても、同様に適用される。
【００３０】
主ブロックＢ1のベース部６の横方向（Ｘ方向）は、前記蓋体９１の長手方向（Ｘ方向
）に一致するように合わせて配置固着される〔図４（Ａ）参照〕。ベース部６は、適宜の厚さを有するもので、その表面側を上面部６１と称し、その裏面側を下面部６２と称する。さらに、横方向（Ｘ方向）の辺に対応する側面を横側面６３，６３と称し、縦方向（Ｙ方向）の辺に対応する側面を縦側面６４，６４と称する。主ブロックＢ1は、横方向（Ｘ
方向）において、同一又は他の種類の単位ブロックＢと接続するものであり、前記縦側面６４は、他の単位ブロックＢの縦側面６４との接合する部分となる〔図４（Ｂ）参照〕。
【００３１】
複数の筐体受部７，７，…は、前記ベース部６の縦方向（Ｙ方向）に沿って一列状に５個形成され、横方向（Ｘ方向）に沿って一列状に３個形成される（図４参照）。すなわちベース部６には、縦方向（Ｙ方向）に複数の筐体受部７，７，…の列が形成され、横方向（Ｘ方向）において、この列が３列となり、全体的に見ると複数の筐体受部７，７，…は、略格子状に構成されたものである。縦方向（Ｙ方向）及び横方向（Ｘ方向）において隣接する筐体受部７，７の間隔寸法は、筐体受部７が略一つ形成することができる程度としている。
【００３２】
各筐体受部７は、略正方形状の開口を有する立方体状の窪み又は貫通孔として形成されたものである。筐体受部７は、４面の内周壁面７１，７１，…が存在し、さらに、筐体受部７が窪みとして形成されたものでは、底面部７２が存在する。すなわち、４面の内周壁面７１，７１，…と、底面部７２とによって、開口を有し且つ貫通しない略立方体状の穴が構成されることになる。筐体受部７には、後述する筐体Ａ（小形筐体Ａａ）の挿入用開口部７ａが形成されている〔図３（Ｃ）参照〕。挿入用開口部７ａは、小形筐体Ａａの本体部１との隙間が最小となる構成であればよい。
【００３３】
また、ベース部６の横方向（Ｘ方向）の両横側面６３，６３は、図３（Ａ），図９等に示すように、斜面６３ａ，６３ａとして形成されている。該斜面６３ａ，６３ａは、ベース部６の上面部６１の縦方向（Ｙ方向）が下面部６２の縦方向（Ｙ方向）よりも小さくなるように形成されたものであり、ベース部６の縦方向（Ｙ方向）の断面（すなわちＸ方向に直交する断面）形状は、台形状（略台形状も含む）である。また、前記横側面６３，６３は斜面６３ａ，６３ａとして形成されず、垂直な壁面として形成されても構わない。前記斜面６３ａ，６３ａの傾斜角度は４５度とされることが多いが、必要に応じて所望の傾斜角度が採用されても構わない。また、ベース部６の横方向（Ｘ方向）における両側の縦側面６４，６４においても斜面として形成されることもある。この場合には、主ブロックＢ1は、他の単位ブロックＢと併用しないで、単独にて使用することになる。
【００３４】
前記筐体受部７，７，…の列において、図４に示すように、ベース部６の横方向（Ｘ方向）の端部、すなわち縦側面６４に隣接する筐体受部７で、該筐体受部７の内周壁面７１，７１，…のなかで最も縦側面６４に近接する内周壁面７１と、前記縦側面６４との間隔寸法Ｓｂは、隣接する筐体受部７，７の対向する直近の内周壁面７１，７１同士の間隔寸法Ｓａの半分である。すなわち、Ｓｂ＝（Ｓａ／２）である。このような寸法構成とすることで、主ブロックＢ1を横方向（Ｘ方向）に沿って、縦側面６４，６４同士を接合する場合には、隣接する主ブロックＢ1，Ｂ1同士の接触する両縦側面６４，６４を挟んで直近する筐体受部７，７の両内周壁面７１，７１間の間隔寸法は単一の主ブロックＢ1の隣接する筐体受部７，７の内周壁面７１，７１間の間隔寸法に等しくなる〔図４（Ｂ）参照〕。すなわち、主ブロックＢ1は、横方向（Ｘ方向）に複数接続されても、横方向（Ｘ方向）における複数の筐体受部７，７，…において、それぞれの隣接する間隔寸法を同一にすることができる〔図４（Ｂ）参照〕。固着手段６６は、前記ベース部６の下面部６２に設けられている（図３参照）。
【００３５】
次に、補助ブロックＢ2は、前述した主ブロックＢ1と同様にベース部６と筐体受部７とから構成され、符号も共通している。また補助ブロックＢ2にも横方向（Ｘ方向）と縦方
向（Ｙ方向）とが存在し、前記主ブロックＢ1の横方向（Ｘ方向）及び縦方向（Ｙ方向）
と同一の方向である〔図３（Ａ），図４参照〕。補助ブロックＢ2では、ベース部６には
、縦方向（Ｙ方向）に沿う一列状とした複数の筐体受部７，７，…のみが形成されたものである。補助ブロックＢ2の筐体受部７，７，…の個数は、前記主ブロックＢ1の縦方向（Ｙ方向）における一列の筐体受部７，７，…の個数に等しい。また。補助ブロックＢ2のベース部６は、主ブロックＢ1と等しい厚さを有するもので、該主ブロックＢ1と同様に、その表面側を上面部６１と称し、その裏面側を下面部６２と称する。さらに、縦方向（Ｙ方向）の両側を横側面６３，６３と称し、横方向（Ｘ方向）を縦側面６４，６４と称するものであり、該縦側面６４は、前記主ブロックＢ1の縦側面６４に接続（接触）する部位となる。
【００３６】
また、補助ブロックＢ2は、前記主ブロックＢ1と同様に、ベース部６の両横側面６３，６３は、斜面６３ａ，６３ａとして形成されることがある。また、前記ベース部６の横方向（Ｘ方向）の端部、すなわち縦側面６４に隣接し、最も近接する筐体受部７の内周壁面７１と、前記縦側面６４との間隔寸法Ｓｂは、主ブロックＢ1における隣接する筐体受部
７，７の対向する直近の端縁間の寸法Ｓａの半分としており、Ｓｂ＝（Ｓａ／２）である〔図４（Ａ），（Ｂ）参照〕。補助ブロックＢ2は、ベース部６に対して複数の筐体受部
７，７，…は縦方向（Ｙ方向）に沿う一列のみであり、そのためにベース部６は、縦方向（Ｙ方向）に沿って略棒形状となる。
【００３７】
前記補助ブロックＢ2は、前記主ブロックＢ1を横方向（Ｘ方向）に亘って接続する上で、前記棺桶９の蓋体９１の長手方向（Ｘ方向）すなわち長手方向に対して調和のとれた長さを形成するための調整の役目をなす部材である。つまり、補助ブロックＢ2は、前記主ブロックＢ1及び後述する端部ブロックＢ3等を横方向（Ｘ方向）に接続して生花装飾具を構成する場合に、その横方向（Ｘ方向）の長さを微調整する役目をなすものである。具体的には、補助ブロックＢ2によって、横方向（Ｘ方向）に前記筐体受部７の１個分の長さ調整ができるものである〔図８（Ｃ），（Ｅ）等参照〕。
【００３８】
次に端部ブロックＢ3は、図３（Ａ），図４に示すように、横側面６３，６３が斜面６
３ａ，６３ａとして形成され、且つ対向する両縦側面６４，６４のいずれか一方が斜面６４ａとして形成されたものである。端部ブロックＢ3は、ベース部６に対して複数の筐体受部７，７，…は縦方向（Ｙ方向）に沿う一列のみであり、そのためにベース部６は、前記補助ブロックＢ2と同様に略棒形状となる。端部ブロックＢ3は、通常では、前記主ブロックＢ1の集合体又は該主ブロックＢ1と補助ブロックＢ2との組合わせによる集合体において、その横方向（Ｘ方向）の外端箇所に接続される〔図４（Ｂ），図８（Ａ），（Ｄ）等参照〕。端部ブロックＢ3は、主ブロックＢ1及び補助ブロックＢ2の組合わせによる集合体の横方向（Ｘ方向）の端部の仕上げ面として、生花装飾具をデザイン性を良好にする役目をなしている。前記補助ブロックＢ2及び端部ブロックＢ3についても、前記固着手段６６は、主ブロックＢ1と同様に前記ベース部６の下面部６２に設けられている。
【００３９】
次に、斜面ブロックＢ4は、特に棺桶９の蓋体９１が裁頭四角錐形状としたものに適用
される〔図１（Ｃ），図２（Ａ），図１２（Ｃ）参照〕。蓋体９１は、表面部９１１の外周に長手方向周壁面部９１２と幅方向周壁面部９１３とから構成されており、前記蓋体９１を裁頭四角錐形状としたものでは、前記表面部９１１と前記長手方向周壁面部９１２との間に長手方向（Ｘ方向）に沿って連続する長手方向斜壁面９１２ａが形成され、前記表面部９１１と前記幅方向周壁面部９１３との間に幅方向（Ｙ方向）に沿って連続する幅方向斜壁面９１３ａが形成されている。
【００４０】
前記斜面ブロックＢ4は、前記長手方向斜壁面９１２ａと前記幅方向斜壁面９１３ａに
装着されるものである〔図１（Ｃ），図２（Ｃ），図５（Ｃ）乃至（Ｄ）参照〕。すなわち、斜面ブロックＢ4は、蓋体９１の長手方向（Ｘ方向）及び幅方向（Ｙ方向）にそれぞれ固着されるものである。そのために、斜面ブロックＢ4は、特に横方向（Ｘ方向）及び縦方向（Ｙ方向）を限定しないことにする。斜面ブロックＢ4は、前述した主ブロックＢ1，補助ブロックＢ2等と同様にベース部６と筐体受部７，７，…とから構成されている。
【００４１】
斜面ブロックＢ4は、ベース部６の幅方向両側の横側面６３，６３は斜面として形成さ
れ、その幅方向断面形状は台形状である（図５参照）。前記斜面とした横側面６３，６３は、幅方向において左右対称となる同一傾斜角度である。そして、斜面ブロックＢ4が蓋
体９１の長手方向斜壁面９１２ａに装着された状態において、横側面６３，６３の一方は、蓋体９１の表面部９１１と同一で水平面となる〔図５（Ｅ）参照〕。また前記横側面６３，６３の他方は、蓋体９１の長手方向周壁面部９１２と同一で垂直面となる〔図５（Ｅ）参照〕。
【００４２】
斜面ブロックＢ4において、前記筐体受部７，７，…は、主に上面部６１に一列状に形
成されるが、斜面ブロックＢ4が蓋体９１に固着された状態で、斜面ブロックＢ4の上方側に位置する横側面６３に、筐体受部７，７，…が形成されることもある〔図５（Ａ）乃至（Ｃ）参照〕。特に、横側面６３に形成される筐体受部７，７，…は、略切欠き形状となる〔図５（Ａ），（Ｂ）参照〕。そして、斜面ブロックＢ4には、長手方向の長さ調整用
に長手方向の寸法が短いタイプも存在する〔図５（Ｂ）参照〕。固着手段６６は、前述した単位ブロックＢ（主ブロックＢ1，補助ブロックＢ2及び端部ブロックＢ3）と同様に、
ベース部６の下面部１２に設けられている〔図５（Ｂ）参照〕。斜面ブロックＢ4は、蓋
体９１の幅方向斜壁面９１３ａにも必要に応じて固着されるものであり、その固着状態は、長手方向斜壁面９１２ａに装着された斜面ブロックＢ4の固着状態と同一である。
【００４３】
さらに、斜面ブロックＢ4と共に前記蓋体９１の横斜壁面部蓋体９１２ａと縦斜壁面部
蓋体９１３ａとの角部箇所に使用される端部斜面ブロックＢ5が存在する〔図１（Ｃ），
図２（Ｃ），図６参照〕。該端部斜面ブロックＢ5は、ベース部６の長手方向一端におい
て次第に肉厚が薄くなるように先端斜面６５が形成されている。そして、前記蓋体９１の長手方向斜壁面９１２ａと幅方向斜壁面９１３ａとの角部箇所で隣り合う端部斜面単位ブロックＢ5，Ｂ5同士の先端斜面６５，６５同士は、それぞれの先端斜面６５が前記横斜壁面９１２ａと幅方向斜壁面９１３ａとの角部において４５度で交差し、両先端斜面６５，６５同士が略同一平坦面を構成する〔図６（Ｄ）参照〕。端部斜面ブロックＢ5は、ベース部６に筐体受部７，７，…が形成されており、さらに幅方向の一方側で且つ蓋体９１の表面部９１１寄りに対応する側の縦側面６３にも筐体受部７，７，…が形成される〔図１（Ｃ），図２（Ｃ），図６（Ａ）乃至（Ｃ）参照〕。  
【００４４】
次に、大主ブロックＢ11は、後述する大形筐体Ａｂを装着するものであって、ベース部６は、略額縁形状に形成されている〔図１（Ｃ），図２（Ｃ），図７（Ｂ）参照〕。そして、特に筐体受部７は大筐体受部７Ｌとして、一つのみが形成されたもので、該大筐体受部７Ｌは、大形筐体Ａｂが挿入される程度の大きさの開口を有したものであり、大主ブロックＢ11は、略額縁形状に形成されている〔図７（Ｂ）参照〕。また、筐体受部７は、窪み状で前記主ブロックＢ1の場合と同様に底面部７２を有している。或いは、前記筐体受
部７は貫通孔状として形成されることもある。大主ブロックＢ11は、他の単位ブロックＢ（主ブロックＢ1，補助ブロックＢ2，端部ブロックＢ3，斜面ブロックＢ4及び端部斜面ブロックＢ5）と併用したり、或いは大主ブロックＢ11のみを大形筐体Ａｂと共に単独にて
蓋体９１に固着して使用することもある。
【００４５】
前記固着手段６６は、種々存在し、まず第１実施形態として粘着テープが装着されている。該粘着テープは、粘着シート６６ａと剥離シート６６ｂとからなり粘着シート６６ａから剥離シート６６ｂが剥がされて単位ブロックＢが棺桶９の蓋体９１に固着される。前記固着手段６６とした粘着テープは、具体的には、両面テープが使用される。また、剥離シート６６ｂが粘着テープに使用されていることで、棺桶９の製造工場で、蓋体９１に生花装飾具を設置するのみでなく、葬祭場で、生花装飾具を蓋体９１に装着することもできる。さらに、固着手段６６の第２実施形態として、接着剤が使用されることもあり、固着手段６６の第３実施形態として、ボルト，ナット等が使用されることもある。
【００４６】
次に、筐体Ａについて説明する。筐体Ａの第１実施形態は、小形筐体Ａａである。第１実施形態における筐体Ａは、図１４乃至図２２に示すように、一輪の生花８のみを飾る役目をなすものであり、その一輪の生花８及びその葉８２を固定支持し、前記単位ブロックＢに形成される筐体受部７に埋め込み状態で装着する。筐体Ａの構成は、図１４乃至図２２に示すように、主に本体部１，頂面部２とから構成される。前記筐体Ａは、前記頂面部２には、挿し孔２１が一つのみ形成され、一輪挿しのみの生花８及び葉８２を飾ることができるものである。さらに、棺桶９の蓋体９１を含めて全体に布貼が施されている場合には、Ｂ単位ブロックＢ（主ブロックＢ1，大主ブロックＢ11，補助ブロックＢ2，端部ブロックＢ3及び斜面ブロックＢ4，斜面端部ブロックＢ5）にも、同様の生地からなる布が貼
り付けられることもある。
【００４７】
この第１実施形態における筐体Ａは、小形筐体Ａａと称する。該小形筐体Ａａの具体的なサイズは、本体部１が平面の縦横が略３cmであり、高さが略２.５cmである。しかし、
第１実施形態は、このサイズに限定されるものではなく、種々の大きさにしてもよい。前記本体部１は、立方体の容器状として形成されたものであり、その材質は紙である。また紙材ｍは、防水性を有するものが使用されることもあり、紙材ｍの表面に樹脂層が設けられた防水性又は耐水性としたものである。頂面部２は、本体部１の上面側を構成する部材であって、本体部１とは一体又は別材として形成されており、前記本体部１と同様に紙材ｍから形成されている。
【００４８】
まず、本体部１と頂面部２とがそれぞれ別材として、別の紙材ｍから組み立てられる構成とした場合では、図１５（Ａ），（Ｂ）及び図１６（Ａ）に示すように、本体部１は、上面が開口し、その周囲を４個の側面１１,１１,…及び底面１２とから構成される。図１５（Ｄ）は、本体部１を構成する紙材ｍを展開した図である。この展開された紙材ｍには、折曲線Ｌが２点鎖線によって記載されている。折曲線Ｌは、実物の紙材ｍには記載される必要はない。該紙材ｍの中央箇所には、正方形の底面１２が位置しており、該底面１２の４辺に側面１１，１１，…が位置している。
【００４９】
さらに紙材ｍにおいて、隣接する側面１１，１１の間には、略「Ｌ」字形状の重り代１３が位置している。対向する２つの側面１１，１１の外側に面する１辺には、固定面１４，１４が形成されており、該固定面１４，１４の先端寄りの適宜の位置には、線形状の切欠き部１４ａが前記固定面１４の幅方向において左右対称に形成されている〔図１５（Ｂ）乃至（Ｄ）参照〕。この紙材ｍの底面１２の周囲の側面１１，１１，…が折り曲げて、底面１２に対して略垂直状とし、隣接する側面１１，１１の間の重り代１３が折曲線Ｌを介して折り曲げられ、対向する二つの側面１１，１１に沿って前記重り代１３を接触させる〔図１５（Ｂ）参照〕。この二つの対向する側面１１，１１は前記固定面１４，１４が連続形成された部分である。該固定面１４を前記側面１１の外方側に折り返し且つ、前記切欠き部１４ａを前記重り代１３の裏面側に向かって差し込み立方体を構成する〔図１５（Ａ），（Ｃ）参照〕。この小形筐体Ａａの本体部１は、接着剤を使用しないで、組み立てることができるものである。
【００５０】
小形筐体Ａａの頂面部２は、略正方形状に形成された主面２ａの四辺からそれぞれ差込み片２ｂ,２ｂ,…が形成され、該差込み片２ｂ,２ｂ,…が本体部１内に挿入される〔図１４及び図１５（Ａ）参照〕。該差込み片２ｂ,２ｂ,…の下端が本体部１の底面１２に当接して、前記頂面部２の主面２ａが本体部１の開口面と略同一面となるように設定される。前記頂面部２には、略正方形状に形成されており、その略中心箇所に挿し孔２１が形成されている〔図１５（Ａ），図１７（Ａ）参照〕。該挿し孔２１は、頂面部２に一つのみ形成されており、生花８の茎８１を差し込む部位であって、生花８の花びら箇所を飾る役目をなす。
【００５１】
また、挿し孔２１は、図１８（Ａ）に示すように、その開口孔の周囲に略放射状となるように線状或いは筋状とした複数の小切込２１ａ，２１ａ,…が形成されている。前記挿
し孔２１に、前記生花８の茎８１が差し込まれるときには、前記小切込２１ａ，２１ａ,
…によって、前記茎８１と共に、前記挿し孔２１の周囲の部分が、前記頂面部２の表面側から裏面側に（下方に）向かって折れ曲がり、前記生花８の茎８１が挿し孔２１の周囲の部分に引っ掛かり、茎８１が挿し孔２１から極めて抜け難い構造にすることができるものである〔図１８（Ｂ）参照〕。
【００５２】
さらに前記頂面部２には、図１５（Ａ），図５（Ａ）に示すように、挿し孔２１の周囲に小挿し孔２２，２２,…は、生花８の葉８２の枝８２aを差し込むもので、前記頂面部２の４つの角部及びその隣接する角部間に前記小挿し孔２２，２２,…が形成されている。
前記頂面部２に形成された挿し孔２１に生花８の花びらの茎８１が差し込まれ、前記挿し孔２１の周囲に形成された小挿し孔２２，２２,…に葉８２の枝８２a又は細い茎８１を有する生花８（すなわち小形生花）が差し込まれることによって、生花８の花びら部分と葉８２の部分との外観をより一層際立たせることができる〔図１４（Ｂ）参照〕。また、前記小形筐体Ａａの本体部１において、前記固定面１４，１４には、前記切欠き部１４ａ,
１４ａ,…が形成されず、前記固定面１４が前記重り代１３の表面に、直接糊付けによっ
て固着されるタイプも存在する（図１６参照）。
【００５３】
次に、小形筐体Ａａにおいて、前記本体部１及び頂面部２が一体的に連続して形成されるタイプも存在する（図５参照）。このタイプでは本体部１は、４個の側面１１，１１，…が略立方体を構成するようにして糊等の接着剤を利用して形成される〔図１７（Ａ）,
（Ｃ）参照〕。前記頂面部２は、本体部１の蓋状のものとして形成されるものである。このように、一枚の紙材ｍによって展開された状態から立方体が構成されるように、適宜折り曲げ形成されるものである。略立方体状とした本体部１の上端の開口を頂面部２が、略蓋状となるように構成され、該頂面部２の主面２ａには差込み片２ｂが形成されるものである〔図１７（Ｂ）参照〕。そして、前記差込み片２ｂ,２ｂが、４個の側面１１，１１
，…によって略立方体として構成された本体部１の上下の開口部に挿入され、小形筐体Ａａが形成される。  
【００５４】
前記小形筐体Ａａの内部には、図１４に示すように、ゲル剤３が入れられている。該ゲル剤３は、保湿作用をなすジェリー状の軟質材であり、形状を維持することはないが、広く拡散することがないようになっている。ゲル剤３は、筐体Ａに装着した生花８の茎８１及び葉８２の枝８２aが漬かっており、水分を与える役目をなす。ゲル剤３は、通常の園芸用のものが使用され、水分が筐体Ａの外部に漏れ出さないものが使用される。この筐体Ａに飾り付けられた生花８の鮮度を葬祭が催される数日間に亘って、良好に維持することができる。
【００５５】
小形筐体Ａａ内には、図１４，図１５（Ａ）,図１７（Ｂ）及び図２４等に示すように
前記ゲル剤３を安定させると共に、生花８の茎８１をゲル剤３の内部に確実に漬かるように維持させるための生花支持部材４が備わっている。生花支持部材４は、筐体Ａ及び頂面部２等と同様に紙材から形成されたものであり、断面略Ｍ形状或いはＷ形状に折り曲げ形成されたものである。生花支持部材４は、図２４に示すように、中央に支持孔４１が形成され、生花８の茎８１が挿入されて、筐体Ａに生花８を安定した状態で飾り付けることができるようにしている（図１４参照）。さらに、生花支持部材４の別のタイプとして、図２５，図２６に示すように、略蜂の巣構造体とした蜂の巣状支持体４２としたものが使用される。該蜂の巣状支持体４２は、ボール紙等の厚紙から形成されたものであり、多数の蜂の巣状の孔を有している。該蜂の巣状支持体４２はゲル剤３を固定し易いものであり、且つ多数の孔を利用して、生花８の茎８１を差し込んだり、葉８２の枝８２a、或いは細
い茎８１を差し込むことができる。
【００５６】
前記本体部１の底面１２には、図１４，図１５（Ａ）乃至（Ｃ）に示すように、粘着テープ５が装着されている。該粘着テープ５は、粘着シート５１と剥離シート５２とからなり、粘着シート５１から剥離シート５２を剥がして小形筐体Ａａを、前記単位ブロックＢの筐体受部７に固着する役目をなすものである。前記粘着テープ５は、具体的には、両面テープが使用される。
【００５７】
まず、前記ゲル剤３を前記生花支持部材４に絡ませて、ゲル剤３を生花支持部材４によって固定させ、該生花支持部材４を筐体Ａの本体部１内部に装着される。ゲル剤３は、生花支持部材４によって、本体部１内部に安定した状態に固定され、生花８の茎８１が前記挿し孔２１から挿入されて、生花８の茎８１がゲル剤に漬かる状態を維持することができる（図１４参照）。
【００５８】
次に、前記筐体Ａにおいて第１実施形態とした小形筐体Ａａには、変形例が種々存在している。その第１変形例として、前記筐体受部７に板状片１５が具備されたものである。この第１変形例では、図１９（Ａ）乃至（Ｃ）に示すように、小形筐体Ａａの本体部１では、略方形状の板状片１５が具備され、該板状片１５は前記筐体Ａの適宜の一側面１１に沿って貼着されると共に、前記板状片１５の一部は前記本体部１の頂面部２より上方に突出する構成とする実施形態が存在する。前記板状片１５は、本体部１と同一の防水性を有するものが使用されることが好ましく、板状片１５の紙材ｍの表面には樹脂層が設けられた防水性又は耐水性としたものである。前記板状片１５は、略長方形状に形成されたものであり、具体的には、前記本体部１を構成する適宜の側面１１よりも大きく形成されたものである。
【００５９】
そして、本体部１の適宜の側面１１に側面１１、本体部１と頂面部２との間の隙間より差し込むことによって固定される〔図１９（Ｂ），（Ｃ）参照〕。さらに、前記板状片１５には、両面が粘着面である粘着テープ５が装着されることもあり、この場合には該粘着テープ５を介して本体部１の側面１１の内面に固着される。前記板状片１５の一部は、前記側面１１の上端よりさらに上方に突出するもので、この状態は筐体Ａ（小形筐体Ａａ）の方形状の頂面部２の一辺から上方に向かって突出する構成となる。具体的には、板状片１５の長手方向の略半分又は半分以上の部分が筐体Ａ内に差し込まれる部分であり、その残りの部分が筐体Ａの頂面部２から突出する部分となる〔図１９（Ｃ）参照〕。
【００６０】
前記第１変形例における板状片１５が装着された筐体Ａ（小形筐体Ａａ）は、特に前記棺桶９の蓋体９１を取り外して、該蓋体９１を祭壇又は壁面に立て掛けておく場合に使用されるものである。すなわち、葬祭場で葬儀が行われた場合に、遺体と参列者との対面や最後の別れの儀式等のときに、棺桶９から蓋体９１が外されて、該蓋体９１が祭壇又は壁等に立て掛けられた状態にされることがある。この場合には、生花装飾具の単位ブロックＢ，Ｂ，…と共に前記筐体Ａ（小形筐体Ａａ）も前記蓋体９１と同様に直立状態に近い傾斜状態となることになる。
【００６１】
そのために、筐体Ａ（小形筐体Ａａ）に差し込まれた生花８の花びら８３は、その自重Ｗによって、垂れ下がってしまうことになり、参列者が見ると極めて見苦しい状態になることがある。前記生花８の垂れ下がり状態は、図１９（Ｄ）の想像線によって示されている。そこで、前記蓋体９１が立て掛けられた状態で、該蓋体９１に設けられた生花装飾具の筐体受部７に装着された筐体Ａ（小形筐体Ａａ）では、その下方側に位置する側面１１に沿って前記板状片１５が装着されると、生花８の花びら８３を下方側から支持する構成となり、該花びら８３の自重Ｗによる垂れ下がりに対して板状片１５には反力Ｆが作用して、該板状片１５の突出部分が生花８を支持し、花びら８３の垂れ下がりを防止し、生花８を整然とした美しい状態で飾ることができる〔図１９（Ｄ）参照〕。
【００６２】
前記板状片１５を３枚具備して、隣接する３個の側面１１、すなわち、下方に位置する側面１１と、該側面１１に隣接する２つの側面１１に沿って装着される形態も存在する〔図２０（Ａ）参照〕。この場合には、花びら８３の下方への垂れ下がりを防止すると共に、横方向（水平方向）にも安定した状態で花びら８３を支持することができる。また前記３枚の板状片１５を一枚の紙材ｍを断面略「コ」字形状に折曲形成して前記筐体Ａ（小形筐体Ａａ）の本体部１に装着することも可能であり、前記板状片１５を３枚別々に装着する場合よりも、本体部１に装着し易くすることができるものである。また、前記板状片１５は４個の側面１１、すなわち全側面１１，１１，…に沿って装着される形態も存在する〔図２０（Ｂ）参照〕。この場合には、前記筐体Ａ（小形筐体Ａａ）の上方にさらに平面より見て方形状の囲いが構成されることになる。また、前記板状片１５は、前記筐体Ａ（小形筐体Ａａ）の側面１１の外面に前記粘着テープ５を介して固着される形態も存在する（図２１参照）。
【００６３】
さらに、筐体Ａ（小形筐体Ａａ）の別の実施形態として、前記本体部１に円筒部材１６が具備されたものが存在する〔図２２（Ａ），（Ｂ）参照〕。円筒部材１６は、図２２（Ａ）に示すように、略扁平円筒形状に形成されたものであり、本体部１又は前記板状片１５と同様の紙材ｍが使用されている。また、同様に紙材ｍの表面には樹脂層が設けられた防水性又は耐水性としたものである。円筒部材１６は、前記紙材ｍが帯状に形成され、その帯状とした紙材ｍがリング状に巻かれて扁平円筒形状に形成されたものである。
【００６４】
前記円筒部材１６は、前記頂面部２に粘着テープ５又は接着剤等の固着手段を介して固着されている。ここで使用される粘着テープ５は、具体的には前記頂面部２の主面２ａと略同等形状としたもので、挿し孔２１、小切込２１ａ、小挿し孔２２等に相当する部位が形成されたものである〔図２２（Ａ）参照〕。前記円筒部材１６は、前記頂面部２の挿し孔２１が形成された箇所を略中心として、該挿し孔２１を囲むようにして、前記粘着テープ５を介して固着されたり、又は接着剤を介して固着されている〔図２２（Ｂ）参照〕。
【００６５】
前記円筒部材１６は、前記挿し孔２１に差し込まれた生花８の茎８１の周囲の花びら８３部分を受け止めるようにして支持することができる〔図２２（Ｃ）参照〕。円筒部材１６は、前記板状片１５と同様に、立て掛けられた蓋体９１の生花装飾具における単位ブロックＢの筐体受部７に装着された筐体Ａ（小形筐体Ａａ）の花びら８３が垂れ下がることを防止することができるものであり、前述した板状片１５と同様に、花びら８３の自重Ｗによる垂れ下がりに対して円筒部材１６に反力Ｆが作用して、生花８の垂れ下がりを防止し、花びら８３を整然とした美しい状態で飾ることができる〔図２２（Ｃ）参照〕。
【００６６】
次に、筐体Ａの第２実施形態を図７及び図２３に基づいて説明する。第２実施形態では、前記筐体Ａは略扁平直方体状としたものである。前述の第１実施形態の筐体Ａ（小形筐体Ａａ）よりも、サイズが大きく、多数の生花８及び葉８２を飾り付けることができる。第２実施形態における筐体Ａは、大形筐体Ａｂと称する。まず、大形筐体Ａｂでは、一枚の紙材ｍから折り曲げ形成され、略扁平直方体の枕形状を構成している〔図７（Ａ）参照〕。その展開図が図２３（Ｂ）に開示されている。前記小形筐体Ａａの場合と同様に、底面１２、側面１１，１１，…及び頂面部２となる部位が１枚の紙材ｍに形成されている。さらに隣接する側面１１，１１の間には重り代１３が形成されている。展開された状態の前記紙材ｍ〔図２３（Ｂ）参照〕から、折曲線Ｌに従って折り曲げることにより、大形筐体Ａｂが形成される〔図１０（Ａ）参照〕。前記頂面部２には、挿し孔２１が、複数備わっており、長手方向に沿って、略一列状に配列形成されている〔図２３（Ａ），（Ｂ）参照〕。さらに、底面１２には、粘着テープ５が装着されている。粘着テープ５は、第１実施形態と同様の構造である。
【００６７】
また、前記頂面部２には、前記挿し孔２１と共に多数の小挿し孔２２，２２,…が配列
形成されている。第２実施形態では、大形筐体Ａｂが２個備えられ、２個１組として使用することが好ましい〔図７（Ｂ），図２３（Ａ）参照〕。前記小挿し孔２２，２２,…は
側面１１に形成されることもある。大形筐体Ａｂ，Ａｂが左右対称に配置され、前記水平面同士が隣接するようにして配置される。２個の大形筐体Ａｂ，Ａｂは、ベース部材２３によって支持される。該ベース部材２３は、紙製で略長方形状の盆形状に形成されたものであり、図７（Ｂ），図２３（Ａ）に示すように、２つの大形筐体Ａｂ，Ａｂがきっちりと収まるように配置可能としたものであって、大形筐体Ａｂの粘着テープ５によって、前記ベース部材２３に固定される。また、該ベース部材２３の裏面側にも、前記粘着テープ５が装着されている。
【００６８】
大形筐体Ａｂは、前記第１実施形態の小形筐体Ａａと一緒に使用されることもある。この大形筐体Ａｂの内部には、前記生花支持部材４が装着されており、特に大形の蜂の巣状支持体４２が装着される（図２６参照）。このように大形の蜂の巣状支持体４２が使用されることで、生花８の茎８１の支持をより一層安定させることができる。具体的には、底面１２と略同一サイズで平面形状が長方形となる蜂の巣状支持体４２が使用される。
【００６９】
次に、本発明における生花装飾具を介して棺桶９の蓋体９１への生花８の飾り付けを説明する。まず筐体Ａの第１実施形態である小形筐体Ａａが使用され場合では、頂面部２の挿し孔２１に一輪の生花８が差し込まれ、小挿し孔２２，２２,…には生花８の葉８２の
枝８２aが差し込まれる。筐体Ａの内部にゲル剤３が備わっているので、生花８の茎８１
及び葉８２の枝８２aが、ゲル剤３に漬かるようにしておく。これによって、生花８の茎
８１や、葉８２の枝８２aはゲル剤３から水分や栄養分が供給される。筐体Ａには粘着テ
ープ５が装着されており、剥離シート５２を剥がして粘着シート５１を露出させ、それぞれの単位ブロックＢの筐体受部７に略埋め込み状態で装着される。
【００７０】
次に筐体Ａの第２実施形態である大形筐体Ａｂの場合には、一度に複数本の生花８を飾りつけることができる〔図７（Ｂ），（Ｃ）参照〕。そして２個の大形筐体Ａｂ，Ａｂをベース部材２３に配置して、該ベース部材２３を前記筐体受部７に挿入し、粘着テープ５等により固着するものである。さらに、前記ベース部材２３を使用しないで、前記大形筐体Ａｂを直接、前記筐体受部７に固着してもよい。特に、生花店又は生花工場等で予め大形筐体Ａｂに、複数の生花８を植え付けておくことができ、葬祭場等で主ブロックＢ1の
筐体受部７に大形筐体Ａｂを備え付けることで、棺桶９の蓋体９１に即座にたくさんの生花８を飾ることができるものであり、葬祭の準備の作業効率を向上させることができる。
【００７１】
本発明において、棺桶９の蓋体９１に生花装飾具を設置するには、複数の単位ブロックＢ（主ブロックＢ1，補助ブロックＢ2，端部ブロックＢ3及び斜面ブロックＢ4，端部斜面ブロックＢ5等）を適宜に組合わせて前記蓋体９１の表面部９１１及び横外周壁面部９１
２，幅方向周壁面部９１３等に粘着テープ等の固着手段６６を介して固着する。前記蓋体９１の表面部９１１に固着する単位ブロックＢの種類としては、主ブロックＢ1，補助ブ
ロックＢ2及び端部ブロックＢ3である〔図2（Ｂ）参照〕。また、前記蓋体９１の横外周
壁面部９１２及び幅方向周壁面部９１３に固着する単位ブロックＢの種類としては、斜面ブロックＢ4及び端部斜面ブロックＢ5である〔図２（Ａ）参照〕。
【００７２】
まず、蓋体９１の表面部９１１の生花の装飾では、主ブロックＢ1によって、前記蓋体
９１の表面部９１１上の所望の位置に固着手段６６を介して所定の位置に固着してゆく。このとき、主ブロックＢ1は、その横方向（Ｘ方向）を蓋体９１の長手方向（Ｘ方向）の
長さに合わせて、複数枚を連続して蓋体９１の表面部９１１に固着したり、或いは１枚のみを固着することもある。そして、蓋体９１の表面部９１１の長手方向（Ｘ方向）の寸法に生花装飾具をバランス良く合わせてゆくために、補助ブロックＢ2が適宜使用される。
生花装飾具を構成する複数の単位ブロックＢ，Ｂ，…は、蓋体９１の所定の領域又は蓋体９１に対して部分的に固着されたり、或いは蓋体９１の略全面に亘って複数の単位ブロックＢ，Ｂ，…が固着されるものであり、その生花装飾具の配置のパターンは自由に選択されることができる。
【００７３】
図８（Ｂ）乃至（Ｅ）は、単位ブロックＢを構成する主ブロックＢ1，補助ブロックＢ2及び端部ブロックＢ3の配列例を示した横方向（Ｘ方向）に沿った断面であり、図８（Ｂ
）は、補助ブロックＢ2同士の組合わせであり、図８（Ｃ）は、端部ブロックＢ3，補助ブロックＢ2及び主ブロックＢ1の組合わせである。さらに、図８（Ｄ）は、主ブロックＢ1
の横方向（Ｘ方向）両側に端部ブロックＢ3，Ｂ3が配置された組合わせであり、図８（Ｅ）は、主ブロックＢ1と主ブロックＢ1との間に補助ブロックＢ2が配置された組合わせである。このように、主ブロックＢ1に対して補助ブロックＢ2は、単位ブロックＢの集合体として横方向（Ｘ方向）の長さを調整するための役目をなす。
【００７４】
さらに、主ブロックＢ1及び補助ブロックＢ2からなる単位ブロックＢの集合体において、横方向（Ｘ方向）の両端箇所には端部ブロックＢ3が設置され、生花装飾具の単位ブロックＢ，Ｂ，…部分のデザイン性をさらに良好にすることもできる。また、前記単位ブロックＢの筐体受部７，７，…には、予め生花が装飾された筐体Ａ，Ａ，…が収納されたものを使用したり、又は単位ブロックＢが蓋体９１に装着されてから、生花８が装飾された筐体Ａが筐体受部７，７，…に収納されても構わない。また、ゲル材３については、筐体Ａ（小形筐体Ａａ，大形筐体Ａｂ）を各種類の単位ブロックＢの筐体受部７，７，…に装着するときに、生花と共に筐体Ａ内部に装着されたり、或いは筐体Ａが製造されると共に予めゲル剤３が装着されてもよい。
【００７５】
前記大主ブロックＢ11については、他の単位ブロックＢ（主ブロックＢ1，補助ブロッ
クＢ2，端部ブロックＢ3，斜面ブロックＢ4及び斜面端部ブロックＢ5）と併用されたり、或いは大主ブロックＢ11のみを大形筐体Ａｂと共に単独にて蓋体９１に固着して使用される。大主ブロックＢ11は、棺桶９の蓋体９１に設けられた窓部分に近接された位置に固着されることが多い〔図８（Ａ），図１２（Ｂ）及び図１３（Ａ）参照〕。本発明の生花装飾具（単位ブロックＢ，Ｂ，…及び生花８，筐体Ａ）を、棺桶９の蓋体９１に装着して、火葬する前に取り外されて、再利用したり、或いは、必要に応じて生花装飾具は、棺桶９と共に火葬されてもよい。特に、本発明の生花装飾具は、再度、利用することにより、資源の節約及び自然環境に対しても貢献することができる。
【符号の説明】
【００７６】
Ａ…筐体、Ａａ…小形筐体、Ａｂ…大形筐体、２…頂面部、２１…挿し孔、
３…ゲル剤、４…生花支持部材、６…ベース部、６６…固着手段、７…筐体受部、
７２…底面部、Ｂ…単位ブロック、Ｂ1…主ブロック、Ｂ11…大主ブロック、
Ｂ2…補助ブロック、Ｂ3…端部ブロック、Ｂ４…斜面ブロック、９…棺桶、
９１…蓋体、９１２…長手方向周壁面部、９１３…幅方向周壁面部、
９１２ａ…長手方向斜壁面、９１３ａ…幅方向斜壁面。
【図１】
2010284450.tif 000003
【図２】
2010284450.tif 000004
【図３】
2010284450.tif 000005
【図４】
2010284450.tif 000006
【図５】
2010284450.tif 000007
【図６】
2010284450.tif 000008
【図７】
2010284450.tif 000009
【図８】
2010284450.tif 000010
【図９】
2010284450.tif 000011
【図１０】
2010284450.tif 000012
【図１１】
2010284450.tif 000013
【図１２】
2010284450.tif 000014
【図１３】
2010284450.tif 000015
【図１４】
2010284450.tif 000016
【図１５】
2010284450.tif 000017
【図１６】
2010284450.tif 000018
【図１７】
2010284450.tif 000019
【図１８】
2010284450.tif 000020
【図１９】
2010284450.tif 000021
【図２０】
2010284450.tif 000022
【図２１】
2010284450.tif 000023
【図２２】
2010284450.tif 000024
【図２３】
2010284450.tif 000025
【図２４】
2010284450.tif 000026
【図２５】
2010284450.tif 000027
【図２６】
2010284450.tif 000028